(57)【要約】      （修正有）【課題】地震による横揺れで柱と梁との直角接続部分が鋭角や鈍角になるのを防ぐ頑丈な耐震金物を提供する。【解決手段】２本のチャンネル材Ｆの一端と一端とを直角に突き合せて固着し、その斜辺の空間に固着させるＴ型材Ｔの突起板部分ＴＴにアングル筋交いＡをボルト固定し、そして直角に突き合せた部分に補強板片Ｋを固着し、さらにチャンネル材Ｆの一端にも板片Ｅを固着し、上記のような三角形状に形成された金物を柱Ｈの上部と下部とに固定し梁Ｑと柱Ｈとの直角接合部が地震による横揺れで鋭角や鈍角に変化する力に耐える。【選択図】図１
0003211847.tif 000002
【実用新案登録請求の範囲】
【請求項１】
2本のチャンネル材の一端と一端とを直角に突き合せて固着し、その斜辺の空間に固着させるT型材の外方向に向けた突起板部分にアングル筋交いをボルト固定し、そして直角に突き合せた接合部分に補強板片を固着し、さらにチャンネル材の一端にも板片を固着し、上記のような三角形状の金物を柱の上部と下部とに固定し柱と梁の直角接合部が地震による横揺れで鋭角や鈍角に変化する力に負けない高強度の耐震金物。
【考案の詳細な説明】
【技術分野】
【０００１】
本考案は、地震等の横揺れが発生した場合、梁と柱との直角接合部分が横揺れで鋭角や鈍角に変化する力を受け、その力で梁と柱との接合部分に取り付けた補強金物を筋交いの引く力と圧縮する力とに変化させ建物を破損する可能性がある。
【背景技術】
【０００２】
特願2017−62576の板付きチャンネル材内の三角板部分が地震の横揺れで鈍角の力を受けた場合、その時筋交いに押されて三角板部分が曲がる等の破損を受ける可能性がある。
【考案の概要】
【考案が解決しようとする課題】
【０００３】
梁と柱との直角接合部分に固定する耐震金物が地震の横揺れの力を受けても鋭角や鈍角に変形する力に負けない高強度の耐震金物が求められ、その高強度の耐震金物を国内で市販されている金属型材を切断し組み合せて溶接し位置決め冶具設備で安価に製作する事が求められた。
【課題を解決するための手段】
【０００４】
上記目的を達成するために、2本のチャンネル材の一端と一端とを直角に突き合せて固着し、その斜辺の空間に固着させるT型材の突起板部分にアングル筋交いをボルト固定し、そして直角に突き合せた接合部分に補強板片Fを固着し、さらにチャンネル材の一端にも板片Eを固着し、上記のような三角形状の金物を柱の上部と下部とに固定し、梁と柱との直角接合部に固定する金物が地震による横揺れで鋭角や鈍角に変形する力に負けない高強度の耐震金物。
【考案の効果】
【０００５】
市販されている金属型材を位置決め冶具に合せて切断し、切断された部材を位置決め冶具に固定した状態で溶接する事で安価に高強度の耐震金物を提供できる。
【図面の簡単な説明】
【０００６】
【図１】図1は柱の上部に固定する耐震金物の斜視図。
【図２】図2は柱の下部と土台とに固定する耐震金物の斜視図。
【図３】図3は柱の上部と下部に固定する耐震金物に取り付けたアングル筋交いを間柱に取り付けた中継金物への取り付け斜視図。
【考案を実施するための形態】
【０００７】
本考案の実施形態を説明する、2本のチャンネル材Fの一端と一端とを直角に突き合せて固着し、その斜辺の空間に固着させるT型材Tの突起板部分TTにアングル筋交いAをボルト固定し、そして直角に突き合せた接合部分に補強板片Kを固着し、さらにチャンネル材Aの一端にも板片Eを固着し、上記のような三角形状の金物を柱Hの上部と下部とに固定し、梁Qと柱Hとの直角接合部に固定する金物が地震による横揺れで鋭角や鈍角に変形する力に負けない高強度の耐震金物。
【符号の説明】
【０００８】
H      柱
HM    間柱
HH    柱に釘止めする支え柱
T      耐震金物の斜辺部分のT型材
TT    T型材の突起板部分
F      チャンネル材
K      補強板片
E      チャンネル材の一端に固着させた板片
ET    チャンネル材の一端に固着させた間柱の止め板
W      ワッシャー
A      アングル筋交い又は不等辺角管筋交い又は平角棒筋交い
Y      間柱にボルト固定するT型筋交い中継金物
D      土台
P      コンクリート基礎
J      土台とチャンネル材とを接続する接続板
JB    接続板に固着させた土台貫通ボルト
BF    接続板に固着させたチャンネル材固定ボルト
Q      梁
QJ    階下のチャンネル材に固定するボルトと階上のチャンネル材に固定するボルトとを固着させた連結板
【図１】
0003211847.tif 000003
【図２】
0003211847.tif 000004
【図３】
0003211847.tif 000005
【手続補正書】
【提出日】平成29年5月30日(2017.5.30)
【手続補正１】
【補正対象書類名】明細書
【補正対象項目名】全文
【補正方法】変更
【補正の内容】
【考案の詳細な説明】
【技術分野】
【０００１】
本考案は、地震等の横揺れが発生した場合、梁と柱との直角接合部分が横揺れで鋭角や鈍角に変化する力を受け、その力で梁と柱との接合部分に取り付けた補強金物を筋交いの引く力と圧縮する力とに変化させ建物を破損する可能性がある。
【背景技術】
【０００２】
特願2017−62576の板付きチャンネル材内の三角板部分が地震の横揺れで鈍角の力を受けた場合、その時筋交いに押されて三角板部分が曲がる等の破損を受ける可能性がある。
【考案の概要】
【考案が解決しようとする課題】
【０００３】
梁と柱との直角接合部分に固定する耐震金物が地震の横揺れの力を受けても鋭角や鈍角に変形する力に負けない高強度の耐震金物が求められ、その高強度の耐震金物を国内で市販されている金属型材を切断し組み合せて溶接し位置決め冶具設備で安価に製作する事が求められた。
【課題を解決するための手段】
【０００４】
上記目的を達成するために、2本のチャンネル材の一端と一端とを直角に突き合せて固着し、その斜辺の空間に固着させるT型材の突起板部分にアングル筋交いをボルト固定し、そして直角に突き合せた接合部分に補強板片Fを固着し、さらにチャンネル材の他の一端にも板片Eを固着し、三角形状に形成された金物を柱の上部と下部とに固定し、梁と柱との直角接合部が地震による横揺れで鋭角や鈍角に変形する力に耐えるようにした耐震金物。
【考案の効果】
【０００５】
市販されている金属型材を位置決め冶具に合せて切断し、切断された部材を位置決め冶具に固定した状態で溶接する事で安価に高強度の耐震金物を提供できる。
【図面の簡単な説明】
【０００６】
【図１】図1は柱の上部に固定する耐震金物の斜視図。
【図２】図2は柱の下部と土台とに固定する耐震金物の斜視図。
【図３】図3は柱の上部と下部に固定する耐震金物に取り付けたアングル筋交いを間柱に取り付けた中継金物への取り付け斜視図。
【考案を実施するための形態】
【０００７】
本考案の実施形態を説明する、2本のチャンネル材Fの一端と一端とを直角に突き合せて固着し、その斜辺の空間に固着させるT型材Tの突起板部分TTにアングル筋交いAをボルト固定し、そして直角に突き合せた接合部分に補強板片Kを固着し、さらにチャンネル材Aの他の一端にも板片Eを固着し、三角形状に形成された金物を柱Hの上部と下部とに固定し、梁Qと柱Hとの直角接合部が地震による横揺れで鋭角や鈍角に変形する力に耐えるようにした耐震金物。
【符号の説明】
【０００８】
H      柱
HM    間柱
HH    柱に釘止めする支え柱
T      耐震金物の斜辺部分のT型材
TT    T型材の突起板部分
F      チャンネル材
K      補強板片
E      チャンネル材の一端に固着させた板片
ET    チャンネル材の一端に固着させた間柱の止め板
W      ワッシャー
A      アングル筋交い又は不等辺角管筋交い又は平角棒筋交い
Y      間柱にボルト固定するT型筋交い中継金物
D      土台
P      コンクリート基礎
J      土台とチャンネル材とを接続する接続板
JB    接続板に固着させた土台貫通ボルト
BF    接続板に固着させたチャンネル材固定ボルト
Q      梁
QJ    階下のチャンネル材に固定するボルトと階上のチャンネル材に固定するボルトとを固着させた連結板
【手続補正２】
【補正対象書類名】実用新案登録請求の範囲
【補正対象項目名】全文
【補正方法】変更
【補正の内容】
【実用新案登録請求の範囲】
【請求項１】
2本のチャンネル材の一端と一端とを直角に突き合せて固着し、その斜辺の空間に固着させるT型材の外方向に向けた突起板部分にアングル筋交いをボルト固定し、そして直角に突き合せた接合部分に補強板片を固着し、さらにチャンネル材の他の一端にも板片を固着し、三角形状に形成された金物を柱の上部と下部とに固定し、梁と柱との直角接合部が地震による横揺れで鋭角や鈍角に変化する力に耐えるようにした耐震金物。